(57)【要約】【課題】  この固定式永久磁石発電機は永久磁石の磁気エネルギーを電気エネルギーに変換するメカニズムが、従来の発電機とは全く異なる装置の固定式永久磁石発電機を提供する。【解決手段】この固定式永久磁石発電機は上記の課題を解決する為非磁性合金のケース（図面に記載無い）に環状に固定された複数の対向型ヨーク１の永久磁石Ｎ極２・Ｓ極３との磁気回路に固定された発電用コイルユニット４、磁束遮幣板６・７からなる固定式永久磁石発電装置です。直流電力を発電する為には小勢力の電動機（当該申請書には記載ない）にて非磁性合金の回転軸に固定された２枚の磁束遮蔽用円板６・７を高速回転することにより磁気回路の遮蔽と開放により磁束の時間的変化を発生させて電磁誘導の法則により直流電力を発電する。【選択図】図１
2013223417.tif 000002
【特許請求の範囲】
【請求項１】
この発明は、固定された対向型ヨークに永久磁石の磁束蜜度及び吸着力が最大に成るようにヨークの溝に埋め込まれた永久磁石と、同じヨークに固定された各発電用コイルユニットを環状に配置し並列接続する。
上記の発電用コイルユニットのＮ極、Ｓ極の空隙に回転軸に装着された上下２枚の磁気遮蔽用円板を高速回転することにより連続してＮ極側、Ｓ極側の磁気回路を両極同時に遮蔽と開放を行う事によりコイルを抜く磁束に時間的変化が起きて電磁誘導の法則により直流電力を発電する固定式永久磁石発電機。
【請求項２】
前記の発電用コイルユニットの個数は４個、６個、８個又は其れ以上の偶数個とする。
コイルの鉄芯にはパーマロイを使用し請求項１に上げる固定式永久磁石発電機。
【請求項３】
前記２枚のＮ極、Ｓ極側磁気遮蔽用円板の開口部個数は発電用コイルユニットと同数の４個、６個、８個又は其れ以上の偶数個とし、其の楕円形状の扁平率は７０前後とする請求項１記載の固定式永久磁石発電機。
【請求項４】
前記の磁気遮蔽用円板は、反磁性材及び複数の非磁性材金属の合金で極薄板を複数枚サンドイッチ構造にして貼り合わせた物で磁気遮蔽能力を極限迄高めて円板に加工したる請求項１記載の固定式永久磁石発電機。
【請求項４】
前記に使用する永久磁石は、希土類磁石、アルコニ磁石、フェライト磁石、等を使用しその形状は円柱型、リング型とする請求項１記載の固定式永久磁石発電機。
【発明の詳細な説明】
【技術分野】
【０００１】  本発明は永久磁石の磁気エネルギーを利用した固定式永久磁石発電機に関する。
【背景技術】
【０００２】  従来の発電機は、小型、大型を問わず基本的には電力発電用の回転する電機子と励磁用の固定子から成っております。電力を発電する為には電機子を回転しなければ成らない、この電機子を回転する為に必要なエネルギーは発生する電力に比例して強力なエネルギーを外部から供給しなければなりません。
本発明は永久磁石の磁気エネルギーを最大限に利用した従来のメカニズムとは全く異なった方式による固定式永久磁石発電機を提供する。
【発明の概要】
【発明が解決しようとする課題】
【０００３】  本発明は以上の課題を解決する為、従来の方式とは異なり発電する為の電機子及び励磁用固定子が無いシンプルな構造で外部からの強力なエネルギーを必要としない固定式永久磁石発電機を提供することを課題とする。
【発明が解決しようとする手段】
【０００４】  本発明は以上の課題を解決する為、図１に示すように非磁性合金のケース（図面に記載無い）に固定された対向型ヨークと永久磁石のＮ極を上部、Ｓ極を下部に吸着力が最大に成る様溝に埋め込み固定されたものである。
【０００５】  上記の対向型ヨークの内側には鉄芯に集中的に複数回巻装された発電用コイルをヨークと一体に固定する、この場合永久磁石のＮ極、Ｓ極と発電用コイルとの間に上下２枚の磁気遮蔽用円板の空隙を設ける、この対向型ヨークと発電用コイルを一つのユニットとし複数のユニットを環状に配置固定する図５、当該申請書では４ユニットに成ってをります。
【０００６】  上記の発電用コイルの鉄芯には高透磁率磁性合金パーマロイを使用することにより漏洩磁束を少なくし又これによって強い電流が得られます。
【０００７】  上記の上下２枚の磁気遮蔽用円板は反磁性材及び非磁性金属の合金で極薄板を複数枚サンドイッチ構造にして貼り合わせ円板に加工したもである。
非透磁率は非常に低く発電用コイルユニット内の磁束密度が約３００ミリテスラ前後で其の値は約数十ミリテスラ前後に設定したもので、これにより磁気遮蔽用円板の渦電流を最小限に抑えることが出来る。
この磁気遮蔽用円板は当然永久磁石の磁気の影響は受けないので小勢力の電動機（図面に記載無い）で回転することが出来る。
【０００８】上記２枚の磁気遮蔽用円板には発電用コイルユニット上部Ｎ極側、下部Ｓ極側の同じ位置に楕円径の開口部を設ける。
この開口部は磁束がコイルを抜く磁気回路の為のもので固定式永久磁石発電機の重要な機能の一つである
【０００９】  上記の各機器の構成により、本発明の固定式永久磁石発電機の最も主眼とする磁気遮蔽用円板を高速回転する事により、Ｎ極からＳ極に向かう磁束を両極同時に開放と遮蔽を連続して行う事によりコイルを抜く磁束に時間的変化が起きて電磁誘導の法則により直流電力を発電する。これにより課題を解決する事が出来る。
【発明の効果】
【０００１０】  従来の発電機は電力を発電する為には発電量に匹敵する強大なエネルギーを必要とします。この発明の固定式永久磁石発電機は発電するための外部エネルギーと発電電力量との相関関係が無く、複数の発電用コイルユニット内で非磁性合金の回転軸に固定された磁気遮蔽用円板を小型モーター（図には記載無い）にて高速回転することにより電磁誘導の法則にて直流電力を発電することが出来る。
当該発電機の各発電用コイルユニットは並列接続とし、発電された電力の一部を小型バッテリー（図には記載無い）にフィードバックして運転用に使用できる。
当該申請書では発電用コイルユニットは４ユニットに成っております。
本発明の固定式永久磁石発電機は、構造がシンプルである、環境にやさしい、運転の騒音が低い、コストパフォーマンスが良い等各種の電気機器の電源用に使用することが出来る。
【図面の簡単な説明】
【００１１】
【図１】本発明の斜視図
【図２】本発明の一部である側面図
【図３】本発明の一部である発電ユニットの縦断面図
【図４】本発明の一部である平面図
【図５】本発明の一部であるＮ極側磁気遮蔽用円板の平面図
【図６】本発明の一部であるＳ極側磁気遮蔽用円板の平面図
【図７】本発明の一部である磁気遮蔽用円板の縦断面図
【発明を実施するための形態】
【００１２】  この発明の実施形態について、以下の図面について詳細に説明する。
図１は固定式永久磁石発電機の斜視図を示す、非磁性合金のケース（図面に記載無い）に固定された対向型ヨーク（１ａ）〜（１ｄ）とヨークに埋め込まれた円柱型永久磁石Ｎ極側（２ａ）〜（２ｄ）、Ｓ極側（３ａ）〜（３ｄ）と、回転軸に固定された２枚の磁気遮蔽用円板（６）、（７）この円板には同じ位置に上部Ｎ極側開口部（９ａ）〜（９ｄ）、下部Ｓ極側（１０ａ）〜（１０ｄ）に開口部が設けてある。
この２枚の磁気遮蔽用円板を高速回転することによりＮ極からＳ極に向かう磁束を両極同時に遮蔽と開放を連続的に行う事によって磁束に時間的変化が起き電磁誘導の法則により直流電力を発電する固定式永久磁石発電機である。
【００１３】  この発明の図２は、固定式永久磁石発電機の側面図で二つの発電用コイルユニットを示す。対向型ヨークには永久磁石のＮ極側（２）、Ｓ極側（３）が互いに引き合うようにヨーク（１）の溝に埋め込み固定する。発電用コイルは鉄芯（パーマロイ）（５）に集中的に複数回装卷されたもので対向型ヨーク（１）と一体に固定されている。
対向型ヨーク（１）の永久磁石Ｎ極側（２）、Ｓ極側（３）とコイルの上部、下部に磁気遮蔽用円板（６）、（７）用の空隙を設ける。
【００１４】  この発明の図３は、対向型ヨーク（１ａ）に永久磁石（２ａ）、（３ａ）と発電用コイル（４ａ）、鉄芯（５ａ）が非磁性合金のケース（図面に記載無い）にて一体に固定された発電用コイルユニットの縦断面図を示す。
【００１５】  この発明の図４は、固定式永久磁石発電機の平面図である。
非磁性合金のケース（図面に記載ない）環状に固定された発電用コイルユニット（１ａ）〜（１ｄ）と対向型ヨークに埋め込まれたＮ極側となる永久磁石（２ａ）〜（２ｄ）と、回転軸（９）に固定されたＮ極側の磁気遮蔽用円板（６）、この円板は時計方向に高速で回転する。
【００１６】  この発明の図５、図６は、固定式永久磁石発電機の一部である磁気遮蔽用円板（６）、（７）の平面図である。２枚の円板上部Ｎ極側（６）、下部Ｓ極側（７）には同じ位置（絶対条件）に磁束通過用楕円形状の開口部（９ａ）〜（９ｄ），（１０ａ）〜（１０ｄ）が設けてあり、この楕円形状の扁平率は７０前後とする。
開口部の個数は発電用コイルユニットと同数の４個、６個、８個又は其れ以上の偶数個とする。この申請図では４個に成っております。
【００１７】  この発明の図７は、回転軸（８）に固定された２枚の磁気遮蔽用円板（６）、（７）の縦断面図である、この磁気遮蔽用円板は複数の反磁性材及び非磁性材金属の合金で極薄板を複数枚サンドイッチ構造にして貼り合わせた物で磁束の透磁率は非常に低く３０〜５０ｍｍテスラ以下に設定し磁束を遮蔽可能な円板に加工したものである。
申請図面では３層構造になっています。
【符号の説明】  １ａ  対向型ヨーク                    ６    Ｎ極側磁気遮蔽用円板
１ｂ  対向型ヨーク                    ７    Ｓ極側磁気遮蔽用円板
１ｃ  対向型ヨーク                    ８    回転軸
１ｄ  対向型ヨーク                    ９ａ  Ｎ極側開口部分
２ａ  永久磁石Ｎ極                    ９ｂ  Ｎ極側開口部分
２ｂ  永久磁石Ｎ極                    ９ｃ  Ｎ極側開口部分
２ｃ  永久磁石Ｎ極                    ９ｄ  Ｎ極側開口部分
２ｄ  永久磁石Ｎ極
３ａ  永久磁石Ｓ極                    １０ａ  Ｓ極側開口部分
３ｂ  永久磁石Ｓ極                    １０ｂ  Ｓ極側開口部分
３ｃ  永久磁石Ｓ極                    １０ｃ  Ｓ極側開口部分
３ｄ  永久磁石Ｓ極                    １０ｄ  Ｓ極側開口部分
４ａ  コイル
４ｂ  コイル
４ｃ  コイル
４ｄ  コイル
５ａ  鉄芯（高透磁率合金パーマロイ）
５ｂ  鉄芯（高透磁率合金パーマロイ）
５ｃ  鉄芯（高透磁率合金パーマロイ）
５ｄ  鉄芯（高透磁率合金パーマロイ）
【図１】
2013223417.tif 000003
【図２】
2013223417.tif 000004
【図３】
2013223417.tif 000005
【図４】
2013223417.tif 000006
【図５】
2013223417.tif 000007
【図６】
2013223417.tif 000008
【図７】
2013223417.tif 000009